Podtech/llm-jp-corpus-v4-ja_patent huggingface dataset:
【手続補正書】
【提出日】平成18年1月24日(2006.1.24)
【手続補正１】
【補正対象書類名】明細書
【補正対象項目名】特許請求の範囲
【補正方法】変更
【補正の内容】
【特許請求の範囲】【請求項１】  遊技に関与する特別図柄を表示部において可変表示しうる表示装置を備えた遊技機であって、 作動口への遊技球の入球検出に基づき、遊技者にとって利益となる特別遊技状態を発生させるか否かを決定づける特別図柄を、前記表示部において一定方向に変動表示し、その後停止表示する特別図柄変動表示手段と、  前記表示部において、背景表示対象を、前記特別図柄が優先されるよう表示するとともに、当該背景表示対象を前記特別図柄の変動方向とは逆方向に変動表示し、前記特別図柄の非変動時においても、前記背景表示対象の少なくとも一部を変動表示する背景変動表示手段とを備えたことを特徴とする遊技機。
【手続補正書】
【提出日】平成18年9月27日(2006.9.27)
【手続補正１】
【補正対象書類名】明細書
【補正対象項目名】特許請求の範囲
【補正方法】変更
【補正の内容】
【特許請求の範囲】
【請求項１】
試料中の測定対象物を酸化還元反応を用いて測定する方法であって、前記試料が溶血試料であり、前記酸化還元反応に先立ち、試料にテトラゾリウム化合物を添加して前記試料中に含まれる還元物質の影響を排除し、その後、前記測定対象物由来の還元物質または酸化物質を発生させ、この量を、前記テトラゾリウム化合物以外の発色性基質の存在下、酸化還元反応により測定し、この測定値から前記測定対象物の量を決定する測定方法。
【請求項２】
前記テトラゾリウム化合物が、テトラゾール環の少なくとも二箇所に環構造置換基を有する請求項１に記載の測定方法。
【請求項３】
前記少なくとも二つの環構造置換基が、ベンゼン環である請求項２に記載の測定方法。
【請求項４】
前記テトラゾリウム化合物が、テトラゾール環の少なくとも三箇所に環構造置換基を有し、前記環構造置換基のうち少なくとも２つの環構造置換基の環構造がベンゼン環である請求項１〜３のいずれかに記載の測定方法。
【請求項５】
前記少なくとも一つの環構造置換基が電子吸引性官能基を有する請求項２〜４のいずれか記載の測定方法。
【請求項６】
前記電子吸引性官能基が、ハロゲン基、エーテル基、エステル基、カルボキシ基、アシル基、ニトロソ基、ニトロ基、ヒドロキシ基およびスルホ基からなる群から選択された少なくとも一つの官能基である請求項５記載の測定方法。
【請求項７】
前記テトラゾリウム化合物が、テトラゾール環の２位および３位にベンゼン環を有し、前記ベンゼン環のうち少なくとも一方が、ハロゲン基、カルボキシ基、ニトロ基、ヒドロキシ基、スルホ基、メトキシ基およびエトキシ基からなる群から選択された少なくとも一つの官能基を有する請求項１〜６のいずれかに記載の測定方法。
【請求項８】
テトラゾリウム化合物が、２−（４−ヨードフェニル）−３−（４−ニトロフェニル）−５−（２，４−ジスルホフェニル）−２Ｈ−テトラゾリウム塩、２−（４−ヨードフェニル）−３−（２，４−ジニトロフェニル）−５−（２，４−ジスルホフェニル）−２Ｈ−テトラゾリウム塩、２−（２−メトキシ−４−ニトロフェニル）−３−（４−ニトロフェニル）−５−（２，４−ジスルホフェニル）−２Ｈ−テトラゾリウム塩、２−（４−ヨードフェニル）−３−（４−ニトロフェニル）−５−フェニル−２Ｈ−テトラゾリウム塩、３，３'−（１，１'
−ビフェニル−４，４'−ジル）−ビス（２，５−ジフェニル）−２Ｈ−テトラ
ゾリウム塩、３，３'−［３，３'−ジメトキシ−（１，１'−ビフェニル）−
４，４'−ジル］−ビス［２−（４−ニトロフェニル）−５−フェニル−２Ｈ−
テトラゾリウム塩］、２，３−ジフェニル−５−（４−クロロフェニル）テトラゾリウム塩、２，５−ジフェニル−３−（ｐ−ジフェニル）テトラゾリウム塩、２，３−ジフェニル−５−（ｐ−ジフェニル）テトラゾリウム塩、２，５−ジフェニル−３−（４−スチリルフェニル）テトラゾリウム塩、２，５−ジフェニル−３−（ｍ−トリル）テトラゾリウム塩および２，５−ジフェニル−３−（ｐ−トリル）テトラゾリウム塩からなる群から選択された少なくとも一つの化合物である請求項１〜７のいずれかに記載の測定方法。
【請求項９】
テトラゾリウム化合物が、２−（４−ヨードフェニル）−３−（２，４−ジニトロフェニル）−５−（２，４−ジスルホフェニル）−２Ｈ−テトラゾリウム塩である請求項１〜８のいずれかに記載の測定方法。
【請求項１０】
前記テトラゾリウム化合物が、試料１μｌ当たり０．００１〜１００μｍｏｌの範囲の濃度になるように添加される請求項１〜９のいずれかに記載の測定方法。
【請求項１１】
試料が全血であり、前記テトラゾリウム化合物が、全血１μｌ当たり０．００１〜１０μｍｏｌの範囲の濃度になるように添加される請求項１〜１０のいずれかに記載の測定方法。
【請求項１２】
試料が全血であり、２−（４−ヨードフェニル）−３−（２，４−ジニトロフェニル）−５−（２，４−ジスルホフェニル）−２Ｈ−テトラゾリウム塩を、全血１μｌ当たり、０．００１〜０．４μｍｏｌの範囲になるように添加する請求項９に記載の測定方法。
【請求項１３】
前記測定対象由来の酸化物質が過酸化水素であり、酸化還元反応の測定が、前記過酸化水素量の測定である請求項１〜１２のいずれかに記載の測定方法。
【請求項１４】
前記過酸化水素量の測定が、ペルオキシダーゼと酸化により発色する基質とを用いた測定である請求項１３に記載の測定方法。
【請求項１５】
前記基質が、Ｎ−（カルボキシメチルアミノカルボニル）−４，４’−ビス（ジメチルアミノ）ジフェニルアミンナトリウムである請求項１４に記載の測定方法。
【請求項１６】
前記測定対象物が、赤血球内成分である請求項１〜１５のいずれかに記載の測定方法。
【請求項１７】
前記測定対象物が、赤血球内の糖化タンパク質であり、前記糖化タンパク質の糖部分をフルクトシルアミノ酸オキシダーゼで酸化分解することにより過酸化水素を生成させる請求項１３に記載の測定方法。
【請求項１８】
前記試料中の還元物質の分子量が、１０，０００以上である請求項１〜１７のいずれかに記載の測定方法。
【請求項１９】
前記試料中の還元物質がタンパク質である請求項１〜１８のいずれかに記載の測定方法。
【請求項２０】
前記試料中の還元物質がヘモグロビンである請求項１〜１９のいずれかに記載の測定方法。
【請求項２１】
前記糖化タンパク質が、糖化ヘモグロビンである請求項１７〜２０のいずれかに記載の測定方法。
【手続補正２】
【補正対象書類名】明細書
【補正対象項目名】００１０
【補正方法】変更
【補正の内容】
【００１０】
【課題を解決するための手段】
前記目的を達成するために、本発明の測定方法は、試料中の測定対象物を酸化還元反応を用いて測定する方法であって、前記試料が溶血試料であり、前記酸化還元反応に先立ち、試料にテトラゾリウム化合物を添加して前記試料中に含まれる還元物質の影響を排除し、その後、前記測定対象物由来の還元物質または酸化物質を発生させ、この量を前記テトラゾリウム化合物以外の発色性基質の存在下、酸化還元反応により測定し、この測定値から前記測定対象物の量を決定することを特徴とする。前記テトラゾリウム化合物とは、テトラゾール環構造を有する化合物である。
【手続補正３】
【補正対象書類名】明細書
【補正対象項目名】００７４
【補正方法】削除
【補正の内容】
【手続補正４】
【補正対象書類名】明細書
【補正対象項目名】００７５
【補正方法】削除
【補正の内容】
【手続補正５】
【補正対象書類名】明細書
【補正対象項目名】００７６
【補正方法】削除
【補正の内容】
【手続補正書】
【提出日】平成18年10月5日(2006.10.5)
【手続補正１】
【補正対象書類名】明細書
【補正対象項目名】特許請求の範囲
【補正方法】変更
【補正の内容】
【特許請求の範囲】
【請求項１】  ばら材料（１１）を容器（１０）に供給して、目標温度で消費に関連してこの容器（１０）から出し、その際に熱担体ガス流も同様に容器（１０）に供給し、この熱担体ガス流を材料流の方向又は材料流とは逆方向で案内し、単位時間当たりのガス流又はガス流入温度を一定にし、さらに材料流出温度が目標温度に相応するように、ガス流入温度を材料通過量と材料流入温度又はガス量に関連して変化させる、ばら材料、特にプラスチック顆粒を加熱するための方法。
【請求項２】  ガス温度またはガス量を変化させるための制御値を、熱担体ガスの排気内に設けた温度センサ（２３）によって求める、請求項１記載の方法。
【請求項３】  ガス温度またはガス量を変化させるための制御値を、前記容器の、ガスによって貫流されない下側の範囲に設けた材料温度センサ（２２）によって求める、請求項１又は２記載の方法。
【請求項４】  前記容器が、流出するプロセス空気を容器の外被に沿って案内するように形成された動的絶縁体（２１）を有している、請求項１から３までのいずれか１項記載の方法。
【手続補正２】
【補正対象書類名】明細書
【補正対象項目名】０００５
【補正方法】変更
【補正の内容】
【０００５】
【課題を解決するための手段】
上記の課題は、請求項１の特徴によって解決される。
【手続補正書】
【提出日】平成18年1月11日(2006.1.11)
【手続補正１】
【補正対象書類名】明細書
【補正対象項目名】特許請求の範囲
【補正方法】変更
【補正の内容】
【特許請求の範囲】
【請求項１】引出し側面に取り付けられるケーブルガイドであって、
引出し前面側から次第にその厚みが減少するガイド部を備え、
引出しの閉動作に応じて前記ガイド部によりケーブルを外側に押し出すように構成されたことを特徴とする、ケーブルガイド。
【請求項２】前記ケーブルガイドにおいて、
前記ガイド部は、引出し側面に設けられた部材と干渉しない形状に形成されたことを特徴とする、請求項１記載のケーブルガイド。
【請求項３】前記ケーブルガイドの端面は、曲面状に面取りされていることを特徴とする、請求項１あるいは２記載のケーブルガイド。
【請求項４】筐体に取り付けられ開閉する引出しにおいて、
引出し側面の前面側に、次第のその厚みが減少するガイド部が形成され、
引出しの閉動作に応じて前記ガイド部がケーブルを外側に押し出すように構成されたことを特徴とする、引出し構造。
【請求項５】前記引出し構造において、
前記ガイド部は、前記引出しと一体的に形成されていることを特徴とする、請求項４記載の引出し構造。
【請求項６】開閉可能な引出し機構を備える端末装置において、
前記引出しに、その側面の前面側に、次第のその厚みが減少するガイド部が形成され、
引出しの閉動作に応じて前記ガイド部がケーブルを外側に押し出すように構成されたことを特徴とする、端末装置。
【手続補正書】
【提出日】平成18年8月30日(2006.8.30)
【手続補正１】
【補正対象書類名】特許請求の範囲
【補正対象項目名】全文
【補正方法】変更
【補正の内容】
【特許請求の範囲】
【請求項１】
略鉛直な第１回転軸まわりに旋回自在に一端が床面上に取り付けられる床旋回アームと、
前記床旋回アームの他端において略鉛直な第２回転軸まわりに回転自在に取り付けられるスタンドと、
略水平な第３回転軸まわりに回転自在に前記スタンドに取り付けられるアームホルダと、
略水平な第４回転軸まわりにスライド回転自在に前記アームホルダに取り付けられる略Ｃ形アームと、前記第４回転軸が前記第３回転軸と交差するアイソセンタは、前記Ｃ形アームが前記床旋回アームの上方に折り畳まれるとき、前記第１回転軸上に位置する、
前記Ｃ形アームの一端に取り付けられるＸ線発生部と、
前記Ｃ形アームの他端に取り付けられるＸ線検出部とを具備するＸ線診断装置。
【請求項２】
前記床旋回アームの上方に折り畳まれた前記Ｃ形アームは、前記床旋回アームの真上に位置する請求項１記載のＸ線診断装置。
【請求項３】
前記第２回転軸と前記アイソセンタとの間の距離は、前記第１回転軸と前記第２回転軸と間の距離に略等価である請求項１記載のＸ線診断装置。
【請求項４】
長手方向に移動可能な天板を有する寝台をさらに備え、
前記第１回転軸は前記天板の中心線と交差する請求項１記載のＸ線診断装置。
【請求項５】
前記第２回転軸は前記第１回転軸に平行である請求項１記載のＸ線診断装置。
【請求項６】
前記Ｘ線検出部は、前記Ｘ線発生部のＸ線焦点と前記Ｘ線検出部の検出面中心とを通る撮影軸まわりに回転自在に前記Ｃ形アームの他端に取り付けられる請求項１記載のＸ線診断装置。
【請求項７】
特定のユーザインストラクションに呼応して、前記Ｃ形アームが前記床旋回アームの上方に折り畳まれ、かつ前記床旋回アームの中心線が前記天板の中心線に対して所定角度で傾斜するように、前記第１回転軸まわりの前記床旋回アームの回転と前記第２回転軸まわりの前記スタンドの回転とを連動して制御する制御部をさらに備える請求項４記載のＸ線診断装置。
【請求項８】
前記所定角度は実質的に４５度である請求項７記載のＸ線診断装置。
【請求項９】
前記所定角度は実質的に１３５度である請求項７記載のＸ線診断装置。
【請求項１０】
特定のユーザインストラクションに呼応して、前記Ｘ線発生部のＸ線焦点と前記Ｘ線検出部の検出面中心とを通る撮影軸が前記天板の中心線に沿って直線的に移動するように、前記第１回転軸まわりの前記床旋回アームの回転と前記第２回転軸まわりの前記スタンドの回転とを連動して制御する制御部をさらに備える請求項４記載のＸ線診断装置。
【請求項１１】
特定のユーザインストラクションに呼応して、前記Ｘ線発生部のＸ線焦点と前記Ｘ線検出部の検出面中心とを通る撮影軸が前記天板の中心線に略直交する向きに直線的に移動するように、前記第１回転軸まわりの前記床旋回アームの回転と前記第２回転軸まわりの前記スタンドの回転とを連動して制御する制御部をさらに備える請求項４記載のＸ線診断装置。
【請求項１２】
略鉛直な第１回転軸まわりに旋回自在に一端が床面上に設けられる床旋回アームと、
前記床旋回アームの他端において略鉛直な第２回転軸まわりに回転自在に支持されるスタンドと、
略水平な第３回転軸まわりに回転自在に前記スタンドに支持されるアームホルダと、
略水平な第４回転軸まわりにスライド回転自在に前記アームホルダに支持される略Ｃ形アームと、前記第３回転軸と前記第４回転軸とが交差するアイソセンタは、前記スタンドとの旋回に伴って、前記第１回転軸と交差する円弧状の軌道上を移動する、
前記Ｃ形アームの一端に取り付けられるＸ線発生部と、
前記Ｃ形アームの他端に取り付けられるＸ線検出部とを具備するＸ線診断装置。
【請求項１３】
前記床旋回アームの上方に折り畳まれた前記Ｃ形アームは、前記床旋回アームの真上に位置する請求項１２記載のＸ線診断装置。
【請求項１４】
前記第２回転軸と前記アイソセンタとの間の距離は、前記第１回転軸と前記第２回転軸と間の距離に略等価である請求項１２記載のＸ線診断装置。
【請求項１５】
長手方向に移動可能な天板を有する寝台をさらに備え、
前記第１回転軸は前記天板の中心線と交差する請求項１２記載のＸ線診断装置。
【請求項１６】
略鉛直な第１回転軸まわりに旋回自在に一端が床面上に設けられる床旋回アームと、
前記床旋回アームの他端において略鉛直な第２回転軸まわりに回転自在に支持されるスタンドと、
略水平な第３回転軸まわりに回転自在に前記スタンドに支持されるアームホルダと、
略水平な第４回転軸まわりにスライド回転自在に前記アームホルダに支持される略Ｃ形アームと、前記第１回転軸と前記第２回転軸との間の距離が、前記第３回転軸と前記第４回転軸とが交差するアイソセンタから前記第２回転軸までの距離に略一致する、
前記Ｃ形アームの一端に取り付けられるＸ線発生部と、
前記Ｃ形アームの他端に取り付けられるＸ線検出部とを具備するＸ線診断装置。
【請求項１７】
前記床旋回アームの上方に折り畳まれた前記Ｃ形アームは、前記床旋回アームの真上に位置する請求項１６記載のＸ線診断装置。
【請求項１８】
長手方向に移動可能な天板を有する寝台をさらに備え、
前記第１回転軸は前記天板の中心線と交差する請求項１６記載のＸ線診断装置。
【請求項１９】
略鉛直な第１回転軸まわりに旋回自在に一端が床面上に設けられる床旋回アームと、
前記床旋回アームの他端において略鉛直な第２回転軸まわりに回転自在に支持されるスタンドと、
略水平な第３回転軸まわりに回転自在に前記スタンドに支持されるアームホルダと、
略水平な第４回転軸まわりにスライド回転自在に前記アームホルダに支持される略Ｃ形アームと、前記スタンド、前記アームホルダ及び前記Ｃ形アームそれぞれが基準位置にあるとき、前記Ｘ線発生部のＸ線焦点と前記Ｘ線検出部の検出面中心とを通る撮影軸が、前記第１回転軸に略一致する、
前記Ｃ形アームの一端に取り付けられるＸ線発生部と、
前記Ｃ形アームの他端に取り付けられるＸ線検出部とを具備するＸ線診断装置。
【請求項２０】
前記床旋回アームの上方に折り畳まれた前記Ｃ形アームは、前記床旋回アームの真上に位置する請求項１９記載のＸ線診断装置。
【請求項２１】
長手方向に移動可能な天板を有する寝台をさらに備え、
前記第１回転軸は前記天板の中心線と交差する請求項１９記載のＸ線診断装置。
【手続補正書】
【提出日】平成18年9月5日(2006.9.5)
【手続補正１】
【補正対象書類名】明細書
【補正対象項目名】００４２
【補正方法】追加
【補正の内容】
【００４２】  経血量が多い日用、少ない日用や、おりもの用や、体形が大きい人、小さい人など、それぞれに対応した、突部分や土台部分の大きさ、長さ、厚み、高さ、を変えた、本発明品を使い分ければ、ゴミとしての無駄を軽減できる。はずれ落ちてしまうのでは、という心配がある人向けに、底面の一部もしくは全面を貼り付けられるようにしてもよい。また、貼り付けるものと、付けないものも、状況に応じて使い分ければよい。大きさなどを変えた本発明品を、状況に応じて、第１から第４の実施の形態の場合でも、ナプキンと併用せずに使用してもよい。
【手続補正２】
【補正対象書類名】明細書
【補正対象項目名】００４４
【補正方法】変更
【補正の内容】
【００４４】  本発明品の素材は、例えば、トイレットペーパーでも従来のナプキンやタンポンに用いられているものでもよい。水に流さない方が環境によいなら、流れないものでもよいが、流せるものであれば、実施の形態第１から第３の場合、基本的には、どこにも付着させず全く独立しているため、股を横に大きく開けば手を使わず、自動的に落ちるので楽である。
【手続補正書】
【提出日】平成18年10月17日(2006.10.17)
【手続補正１】
【補正対象書類名】明細書
【補正対象項目名】００７１
【補正方法】変更
【補正の内容】
【００７１】
こうして、消毒液は、洗滌消毒槽４内に貯留した所定の水位において、洗滌消毒槽４の槽内を消毒すると共に、給水管路９内、循環管路２０内及びチャンネル管路２１内を循環する。尚、このとき、消毒液は、アルコール管路４１内及びエア管路４４内には、電磁弁４３、逆止弁４７により、流入されない。
【手続補正２】
【補正対象書類名】明細書
【補正対象項目名】０１０９
【補正方法】変更
【補正の内容】
【０１０９】
従って、内視鏡洗滌消毒装置１´は、所定の水位における洗滌消毒槽４の槽内、給水管路９内、循環管路２０内、流液管路１８内及び消毒液循環管路７６内を確実に消毒することができる。尚、消毒液は、上述したように、３方分岐コネクタ４８が流液管路１８において、３方電磁弁１０の１次側であって、この３方電磁弁１０との間の距離が殆ど存在しない状態で接続されているため、給水フィルタ１７の一次側から消毒液循環管路７６を通って迂回しても、全ての流液管路１８内を消毒しながら流れる。以上説明したステップＳ６１〜ステップＳ６８までの制御部７０が行うルーチンを内視鏡洗滌消毒装置１´における給水管路消毒工程とする。
【手続補正書】
【提出日】平成18年8月23日(2006.8.23)
【手続補正１】
【補正対象書類名】特許請求の範囲
【補正対象項目名】全文
【補正方法】変更
【補正の内容】
【特許請求の範囲】
【請求項１】
吊り戸棚下部に開閉自在の可動収納体を設けた吊り戸棚の収納構造であって、前記可動収納体は内側収納箱と、該内側収納箱を外包する外側収納箱から成り、該外側収納箱の後方収容部は可動収納体の閉状態で前方物品収納部に比べ下方に膨出していることを特徴とする吊り戸棚の収納構造。
【請求項２】
前記可動収納体の前方物品収納部の前面は、可動収納体の閉状態で吊り戸棚の前面板により隠蔽されている請求項１に記載の吊り戸棚の収納構造。
【手続補正２】
【補正対象書類名】明細書
【補正対象項目名】０００６
【補正方法】変更
【補正の内容】
【０００６】
上記の目的を解決するために、本発明の請求項１に記載の吊り戸棚の収納構造は、吊り戸棚下部に開閉自在の可動収納体を設けた吊り戸棚の収納構造であって、前記可動収納体は内側収納箱と、該内側収納箱を外包する外側収納箱から成り、該外側収納箱の後方収容部は可動収納体の閉状態で前方物品収納部に比べ下方に膨出していることを特徴としている。
この特徴によれば、内側収納箱が水平状態を維持して降下するので水平状態を維持しなければならない物品が収納でき、しかも降下に応じて前方にせり出すので、開放位置での物品の取り出しが容易である。
【手続補正３】
【補正対象書類名】明細書
【補正対象項目名】０００７
【補正方法】削除
【補正の内容】
【手続補正４】
【補正対象書類名】明細書
【補正対象項目名】０００８
【補正方法】削除
【補正の内容】
【手続補正５】
【補正対象書類名】明細書
【補正対象項目名】０００９
【補正方法】削除
【補正の内容】
【手続補正６】
【補正対象書類名】明細書
【補正対象項目名】００１０
【補正方法】削除
【補正の内容】
【手続補正７】
【補正対象書類名】明細書
【補正対象項目名】００１１
【補正方法】削除
【補正の内容】
【手続補正８】
【補正対象書類名】明細書
【補正対象項目名】００１２
【補正方法】変更
【補正の内容】
【００１２】
本発明の請求項２に記載の吊り戸棚の収納構造は、請求項１に記載の吊り戸棚の収納構造であって、前記可動収納体の前方物品収納部の前面は、可動収納体の閉状態で吊り戸棚の前面板により隠蔽されていることを特徴としている。
この特徴によれば、可動収納体の閉鎖状態では外側収納箱の前方側が利用者側から確認し難いので、可動収納体の存在を隠すことができ、吊り戸棚の全体から受ける美感の向上が図れる。
【手続補正書】
【提出日】平成18年8月8日(2006.8.8)
【手続補正１】
【補正対象書類名】特許請求の範囲
【補正対象項目名】全文
【補正方法】変更
【補正の内容】
【特許請求の範囲】
【請求項１】
薄型ディスプレイパネルの隔壁又はその一部を成形するためのガラスもしくはセラミックの粉体と有機性添加物であるバインダーとを含有する混合組成物であって、該有機性添加物が、ＵＶ照射により熱エネルギーを発生させ、且つ、発生した熱エネルギーにより熱エネルギーを連続的に発生させ、ＵＶ線源からのエネルギーもしくは発生した熱エネルギーで硬化可能な樹脂組成物を１５重量％〜５０重量％含み、該樹脂組成物（硬化剤を含むものを除く）が、カチオン系光・熱重合開始剤と、光重合性樹脂成分として分子構造に環状エーテル構造を有するエポキシ樹脂とを含み、
前記カチオン系光・熱重合開始剤として、一般式（Ｉ）、（Ｉ'）又は（II）
【化１】
2006216567.tif 000001
で示されるスルホニウム塩を含み、薄型ディスプレイパネルのリブペーストとして用いられ、硬化後焼成されることを特徴とする薄型ディスプレイパネルの隔壁用組成物。
【請求項２】
前記該樹脂組成物が、鉄−アレン系光重合開始剤を含むことを特徴とする請求項１の薄型ディスプレイパネルの隔壁用組成物。
【請求項３】
前記樹脂組成物が、さらに硬化促進剤を含むことを特徴とする請求項２の薄型ディスプレイパネルの隔壁用組成物。
【請求項４】
前記樹脂組成物が、カチオン系光重合開始剤を含むことを特徴とする請求項１の薄型ディスプレイパネルの隔壁用組成物。
【請求項５】
前記分子構造に環状エーテル構造を有するエポキシ樹脂が３，４−シクロヘキシルメチル−３，４−エポキシシクロヘキサンカルボキシレートであることを特徴とする請求項１〜４のいずれかに記載の薄型ディスプレイパネルの隔壁用組成物。
【請求項６】
請求項１〜５のいずれかに記載の薄型ディスプレイパネルの隔壁用組成物にて薄型ディスプレイパネルの隔壁又はその一部を成形し、該成形体を硬化させた後、焼成することを特徴とする隔壁の製造方法。
【請求項７】
前記薄型ディスプレイパネルの隔壁用組成物として、予め硬化しない程度に加温した該隔壁用組成物を用いることを特徴とする請求項６に記載の隔壁の製造方法。
【手続補正２】
【補正対象書類名】明細書
【補正対象項目名】０００７
【補正方法】変更
【補正の内容】
【０００７】
本発明の目的は、下記のいずれかの構成を有することによって、効果的に達成することができる。
すなわち、（１）薄型ディスプレイパネルの隔壁又はその一部を成形するためのガラスもしくはセラミックの粉体と有機性添加物であるバインダーとを含有する混合組成物であって、該有機性添加物が、ＵＶ照射により熱エネルギーを発生させ、且つ、発生した熱エネルギーにより熱エネルギーを連続的に発生させ、ＵＶ線源からのエネルギーもしくは発生した熱エネルギーで硬化可能な樹脂組成物を１５重量％〜５０重量％含み、該樹脂組成物（硬化剤を含むものを除く）が、カチオン系光・熱重合開始剤と、光重合性樹脂成分として分子構造に環状エーテル構造を有するエポキシ樹脂とを含み、
前記カチオン系光・熱重合開始剤として、一般式（Ｉ）、（Ｉ'）又は（II）
【手続補正３】
【補正対象書類名】明細書
【補正対象項目名】０００８
【補正方法】変更
【補正の内容】
【０００８】
【化１】
2006216567.tif 000002
【手続補正４】
【補正対象書類名】明細書
【補正対象項目名】０００９
【補正方法】変更
【補正の内容】
【０００９】
で示されるスルホニウム塩を含み、薄型ディスプレイパネルのリブペーストとして用いられ、硬化後焼成される薄型ディスプレイパネルの隔壁用組成物。
【手続補正５】
【補正対象書類名】明細書
【補正対象項目名】００１０
【補正方法】変更
【補正の内容】
【００１０】
（２）前記該樹脂組成物が、鉄−アレン系光重合開始剤を含む（１）の薄型ディスプレイパネルの隔壁用組成物。
（３）前記樹脂組成物が、さらに硬化促進剤を含む（２）の薄型ディスプレイパネルの隔壁用組成物。
【手続補正６】
【補正対象書類名】明細書
【補正対象項目名】００１１
【補正方法】変更
【補正の内容】
【００１１】
（４）前記樹脂組成物が、カチオン系光重合開始剤を含む（１）の薄型ディスプレイパネルの隔壁用組成物。
【手続補正７】
【補正対象書類名】明細書
【補正対象項目名】００１２
【補正方法】変更
【補正の内容】
【００１２】
（５）前記分子構造に環状エーテル構造を有するエポキシ樹脂が３，４−シクロヘキシルメチル−３，４−エポキシシクロヘキサンカルボキシレートである（１）〜（４）のいずれかに記載の薄型ディスプレイパネルの隔壁用組成物。
【手続補正８】
【補正対象書類名】明細書
【補正対象項目名】００１３
【補正方法】変更
【補正の内容】
【００１３】
（６）（１）〜（５）のいずれかに記載の薄型ディスプレイパネルの隔壁用組成物にて薄型ディスプレイパネルの隔壁又はその一部を成形し、該成形体を硬化させた後、焼成することよりなる隔壁の製造方法。 
（７）前記薄型ディスプレイパネルの隔壁用組成物として、予め硬化しない程度に加温した該隔壁用組成物を用いる（６）に記載の隔壁の製造方法。
【手続補正書】
【提出日】平成17年11月16日(2005.11.16)
【手続補正１】
【補正対象書類名】明細書
【補正対象項目名】特許請求の範囲
【補正方法】変更
【補正の内容】
【特許請求の範囲】
【請求項１】 放射線放出型医用イメージング装置（１０）のために撮像データを処理す
る方法（１００）であって、画像用途識別子を受け取るステップ（１０２）と、一組の走査パラメータ値を受け取るステップ（１０４）と、前記受け取った一組の走査パラメータ値から予測ノイズ指数を自動的に作成するステップ（１０６）と、少なくとも予測ノイズ指数に基づいてＸ線源のＸ線管電流分布を作成するステップ（１４６，１７２，１９８）と、Ｘ線管電流分布に基づいて前記自動的に作成された予測ノイズ指数をユーザによりオーバーライドできるようにし（１４８，１７４，２１０）、ユーザがそうすることを選択した場合に好ましいノイズ指数を設定し、好ましいノイズ指数が設定された場合に最終的な管電流分布を作成するステップ（１１０）と、前記最終的な管電流分布を用いて撮像データを取得するステップ（１１２）と、を有する当該方法。
【請求項２】 前記好ましいノイズ指数を設定する前記ステップは更に、前記自動的に作
成された予測ノイズ指数をユーザの直接入力に従って調節するステップを含んでいる、請求項１記載の方法（１００）。
【請求項３】 前記ユーザの直接入力は、走査して画像を処理するための目標ノイズ指数
を定義する、請求項２記載の方法（１００）。
【請求項４】 放射線放出型医用イメージング装置（１０）のために撮像データを処理す
る方法（１００）であって、対象物の撮像データを取得するステップ（１３４）と、複数の小領域を持つ領域について一組の投影を作成するステップ（１３６）と、目標ノイズ指数を取得するステップ（１３８）と、前記目標ノイズ指数に従って電流分布を作成するステップ（１４６，１７２，１９８）と、ＶＯＩ内の各々の小領域について最小の許容可能な照射線量にするために前記作成した電流分布の対話型の調節を可能にするステップ（１５１，１７７，２１３）と、を有する当該方法。
【請求項５】 更に、患者の敏感な器官に対するＸ線照射線量を制限するためにＸ線源の
各回転についてＶＯＩの小領域内に適用する患者照射線量を変えるステップ（２４０）を含んでいる請求項４記載の方法（１００）。
【請求項６】 対象物（２２）へ向けて高周波エネルギを投射する高周波電磁エネルギ投
射源（１４）と、前記対象物（２２）によって減弱した高周波電磁エネルギを受け取る検出器（２０）と、検出器出力をデータ処理システム（３２）へ伝送するように構成された複数の電気的相互接続部と、ＶＯＩについて複数の初期投影を構成し（１２６）、ユーザ
入力を受け取って目標ノイズ指数を作成し（１２８）、前記目標ノイズ指数及び予測ノイズ指数に従って管電流分布を作成し（１４６，１７４，２１０）、前記管電流分布をＶＯＩの１つ以上の部分について変更できるようにするために前記管電流分布を表示し、前記管電流分布のユーザによる変更に基づいてＶＯＩの１つ以上の部分について走査照射線量を調節し（１４８，１７４，２１０）、そして前記ＶＯＩについて撮像データを取得する（１１２）ようにプログラムされているコンピュータ（３６）と、を有しているコンピュータ断層撮影システム（１０）。
【請求項７】 前記コンピュータ（３６）は更に、前記複数の初期投影をコンソール上に
表示させるようにプログラムされている、請求項６記載のシステム（１０）。
【請求項８】 前記コンピュータ（３６）は更に、前記ＶＯＩの選択した領域についての
直接的なユーザによる目標ノイズ入力（１２２）に基づいて前記管電流分布を変更するようにプログラムされている、請求項６記載のシステム（１０）。
【請求項９】 一組の命令を持つコンピュータ・プログラムを記憶したコンピュータ読出
し可能な媒体であって、該一組の命令は、コンピュータ（３６）によって実行されたとき、前記コンピュータ（３６）に、対象物のＶＯＩの予備走査データを取得させ（１０４）、前記予備走査データから予測ノイズ指数を作成させ（１０６）、前記予測ノイズ指数及び目標ノイズ指数に基づいて管電流分布を作成させ（１４６，１７２，２１３）、次いで前記管電流分布の少なくとも一部分の選択的調節を受けさせて、前記管電流分布のユーザによる解析に基づいてＶＯＩの対応する部分について走査照射線量を調節させる（１５１，１７７，２１３）ように構成されている、コンピュータ読出し可能な媒体。
【請求項１０】 走査パラメータを受け取る手段（３６）と、前記走査パラメータを自動
的に調節して、患者についての所望の目標画像品質を生成する手段と、前記調節した走査パラメータに基づいて管電流分布を修正する手段（１４８，１７４，２１０）と、患者の画像を再構成するために前記の修正された管電流分布を使用して患者を走査する手段（１１２）と、を有している放射線放出型医用装置（１０）。
【手続補正２】
【補正対象書類名】明細書
【補正対象項目名】０００６
【補正方法】変更
【補正の内容】
【０００６】
放射線被曝を低くすることはＸ線及びＣＴの開発において依然として目標とされているので、予備走査（プレスキャン）データを処理してデフォルト管電流分布を作成ができ、且つユーザ・オーバーライドが選択されたか否かに基づいてデフォルト管電流分布の調節を可能にすることのできるイメージング・システムを提供することは望ましいと考えられる。
【特許文献１】米国特許第６５０７６３９号
【手続補正書】
【提出日】平成17年11月18日(2005.11.18)
【手続補正１】
【補正対象書類名】明細書
【補正対象項目名】特許請求の範囲
【補正方法】変更
【補正の内容】
【特許請求の範囲】
【請求項１】 医療撮像スキャンの指示をガイドする方法であって、撮像アプリケーショ
ンを起動するステップと、前記撮像アプリケーションの複数のスキャンパラメータ(352-356、394-398、410-416、424-430、440-446)を決定するステップと、スキャンパラメータ
入力情報(360、400、416、432、448)を受けとるステップと、スキャンパラメータ入力情
報(360、400、416、432、448)と基準値を比較するステップと、特定の個数の残りのスキ
ャンパラメータ(352-356、394-398、410-416、424-430、440-446)の有効性の状態を確認
するステップと、有効性(362、402、418、434、450)の状態がスキャンパラメータの所定
の範囲外にあるかどうかをユーザに通知するステップを備える方法。
【請求項２】 短スキャン時間(340)と高解像度(344)と高造影剤(346)と高SNR(348)と広カバレッジ(350)のうちの少なくとも１つを達成する少なくとも１つの技術を調査して推奨
するステップをさらに備える、請求項１の方法。
【請求項３】 前記スキャンパラメータ入力(360、400、416、432、448)を受け入れ可能な旨をユーザに送るステップをさらに備える、請求項１の方法。
【請求項４】 対象の撮像データ獲得を指示する方法であって、(A)ユーザの入力情報を受けとって、スキャンセッションを開始するステップと、(B)前記スキャンセッション特有
の複数のスキャンパラメータ(352-356、394-398、410-416、424-430、440-446)を決定す
るステップと、(C)前記スキャンセッションのための前記複数のスキャンパラメータ(352-356、394-398、410-416、424-430、440-446)に対して階層的な優先順位を付けるステップと、(D)新しいスキャンセッションのためにステップ(A)と(B)を繰り返すステップと、(E)前記新しいスキャンセッションのための複数のスキャンパラメータ(352-356、394-398、410-416、424-430、440-446)に再度優先順位を付けるステップとを備える方法。
【請求項５】 前記階層的な優先順位を付けるステップは、前記スキャンセッションのた
めの一連の第1のスキャンパラメータを決定するステップと、前記スキャンセッションの
ための一連の第2のスキャンパラメータを決定するステップと、前記スキャンセッション
のための一連の第３のスキャンパラメータを決定するステップを備え、前記一連の第1の
スキャンパラメータのうちの１つに対する変更によって、前記一連の第3のスキャンパラ
メータのうちの１つと、前記一連の第2のスキャンパラメータのうちの１つと、前記一連
の前記第1のスキャンパラメータのうちのその他のもののうちの少なくとも１つに影響が
及ぶことがある、請求項４の方法。
【請求項６】 前記一連の第2のスキャンパラメータのうちの１つに対する変更によって、前記一連の前記第3のスキャンパラメータのうちの１つと、その他の第2のスキャンパラメータのうちの少なくとも１つに影響が及ぶが、前記一連の第1のスキャンパラメータのう
ちの１つには影響が及ばない、請求項５の方法。
【請求項７】 コンピュータによる実行時に、前記コンピュータに、医療撮像セッション
の指示を支援するように構成されたグラフィカルユーザインターフェイス(GUI)(118)を表示するステップと、選択コマンドを受けとると、前記GUI(118)にウィンドー(338、390、406、420、436)を表示するステップであって、前記ウィンドー(338、390、406、420、436)は、変更可能な特定の個数のスキャンパラメータ(352-356、394-398、410-416、424-430
、440-446)を表示するように構成される、当該ステップと、スキャンパラメータ(352-356、394-398、410-416、424-430、440-446)を変更するためのコマンド(360、400、416、432、450)を受けとるステップと、前記スキャンパラメータ(352-356、394-398、410-416、424-430、440-446)を変更するステップと、前記スキャンパラメータを変更することによっ
て、その他のスキャンパラメータへの少なくとも１つの影響(362、402、418、434、450)
を確認するステップと、前記GUI(118)上に前記少なくとも１つの影響の示値を表示するステップとを実行させる一連のインストラクションを表すコンピュータプログラムを記憶するコンピュータ読取可能媒体。
【請求項８】 前記コンピュータプログラムは、前記スキャンパラメータに対する変更が
前記その他のスキャンパラメータ(352-356、394-398、410-416、424-430、440-446)に対
する変更を必要とするものであるかを確認するインストラクションをさらに備える、請求項７のコンピュータ読取可能媒体。
【請求項９】 撮像アプリケーションを開始し、対象の撮像データを獲得し、前記対象の
診断画像を再構築するように構成された医療撮像システム(10)であって、医療撮像スキャンの指示を容易にするように構成されたコンソール(16)と、複数のタブ(342)を前記コン
ソール(16)に表示するステップであって、各タブ(340、344、346、348、350)は、前記撮
像アプリケーション特有のタスクに対応する、当該ステップと、前記複数のタブ(342)の
うちの１つをユーザが選択した(338、390、406、420、436)ことを検出するステップと、
前記コンソール(16)に、選択されたタブ(340、344-350)に関する複数のオプション(352-356、394-398、410-416、424-430、440-446)を表示するステップと、前記複数のオプショ
ン(352-356、394-398、410-416、424-430、440-446)のうちの少なくとも１つをユーザが
変更(360、400、416、432、450)したことを検出するステップと、前記複数のオプション
のうちの少なくとも１つを変更した影響(362、402、418、434、450)がその他のオプショ
ンに及ぶかどうかの旨を前記コンソール(16)に表示するステップを実行するようにプログラムされたコンピュータ(20a)を備えるシステム。
【請求項１０】 前記コンピュータは、前記ユーザによる変更(360、400、416、432、450)によって、スキャンパラメータ(352-356、394-398、410-416、424-430、440-446)に対す
る変更がなされたどうかを判定して、そうである場合は、その他のスキャンパラメータ(352-356、394-398、410-416、424-430、440-446)の変更が必要であるかどうかを判定する
ようにさらにプログラムされる、請求項９の医療撮像システム。
【手続補正書】
【提出日】平成18年6月15日(2006.6.15)
【手続補正１】
【補正対象書類名】明細書
【補正対象項目名】特許請求の範囲
【補正方法】変更
【補正の内容】
【特許請求の範囲】
【請求項１】 ａ）自然分極を有する鉱石の粉体とｂ）有機フッ素樹脂化合物を接触した状態で含有するものであり、ｂ）成分がマイナス帯電されていること、及びａ）成分及びｂ）成分が共に１ｍｍ以下の粒径の粉体であり、かつａ）成分及びｂ）成分の混合比率が１／９９〜９９／１であることを特徴とするマイナスイオン発生体。
【請求項２】 ａ）成分がトルマリン粉体を含むことを特徴とする請求項１のマイナスイオン発生体。
【請求項３】 ｂ）成分が電気的に加電してマイナス帯電された有機フッ素樹脂化合物粉体を含むことを特徴とする、請求項の１又は２のマイナスイオン発生体。
【請求項４】 ａ）成分とｂ）成分を含む樹脂成形体からなることを特徴とする、請求項の１〜３のいずれか１項のマイナスイオン発生体。
【請求項５】 基材に、ａ）成分とｂ）成分を含む塗料が塗布されていることを特徴とする請求項の１〜３のいずれか１項のマイナスイオン発生体。
【請求項６】 アルミニューム製の回転容器で、周囲に複数個の開孔を設けたものに、ａ）成分とｂ）成分の混合物が充填されており、回転して使用されることを特徴とする請求項の１〜３のいずれか１項のマイナスイオン発生体。
【請求項７】 前記有機フッ素樹脂化合物が、ポリテトラフルオロエチレン・エチレンコポリマー樹脂、ポリテトラフルオロエチレン・プロピレンコポリマー樹脂、ポリテトラフルオロエチレン・パーフルオロアルキルビニルエーテルコポリマー樹脂、ポリテトラフルオロエチレン・ヘキサフルオロプロピレンコポリマー樹脂、ポリテトラフルオロエチレン・ヘキサフルオロプロピレン・パーフルオロアルキルビニルエーテルコポリマー樹脂、ポリテトラフルオロエチレン樹脂、ポリビニルフルオライド樹脂、ポリビニリデンフルオライド樹脂、ポリクロロトリフルオロエチレン樹脂、およびポリクロロトリフルオロエチレン・エチレンコポリマー樹脂からなる群から選ばれるものであることを特徴とする請求項１〜６のいずれか１項のマイナスイオン発生体。
【手続補正２】
【補正対象書類名】明細書
【補正対象項目名】００１９
【補正方法】変更
【補正の内容】
【００１９】
自然分極を有する鉱石粉末としては、トルマリン粉体又はそれを含むものを使用するのが好ましく、有機フッ素樹脂化合物は予め電気的に加電してマイナス帯電された状態で使用されても、また、トルマリン粉体と接触・混合後に電気的に加電してマイナス帯電されてもよいが、予めマイナス帯電された有機フッ素樹脂化合物を、自然分極を有する鉱石粉末と混合使用するのが、マイナスイオン放出量の点からより効果的である。
【手続補正３】
【補正対象書類名】明細書
【補正対象項目名】００２３
【補正方法】変更
【補正の内容】
【００２３】
なお、本発明では、周囲に複数の開孔を設けた筒状の回転装置に、自然分極を有する鉱石の粉体と、マイナス帯電させた有機フッ素樹脂化合物の粉体を入れ、回転させることによって、マイナスイオンを非常に多く生じさせうる製品とすることもできる。この場合、前記回転装置には、粉体混合物が漏れないように、外周（又は内周）にフィルターを取り付けるのが好ましいが、このフィルターにも、自然分極を有する鉱石の粉体とマイナス帯電させた有機フッ素樹脂化合物を併含する塗料を塗布した布帛を使用するなどして、自然分極を有する鉱石の粉体とマイナス帯電させた有機フッ素樹脂化合物を併含させるのが好ましい。特に、前記回転装置を、アルミニューム製とすることにより、驚異的なマイナスイオンの生成を可能とする。
【手続補正書】
【提出日】平成18年5月26日(2006.5.26)
【手続補正１】
【補正対象書類名】明細書
【補正対象項目名】特許請求の範囲
【補正方法】変更
【補正の内容】
【特許請求の範囲】
【請求項１】  遊技盤が中央に配設された本体枠と、この本体枠に開閉自在に取り付けられる前面枠とを有するパチンコ機において、
前記前面枠を、中央に開口が形成された枠本体と、枠本体の裏側から着脱自在に、且つ前記枠本体に対して回動自在に取り付けられ、前記前面枠を閉じた際に前記開口を遮蔽するガラス枠とから構成し、
前記枠本体とガラス枠とは、係止ピンと係合穴との係合により構成されるヒンジにより連結されており、
前記ガラス枠に、前記ヒンジ、又はヒンジを保持するために前記枠本体に形成された保持板の少なくともいずれか一方に当接し、ガラス枠の所定範囲を越える回動を防止するストッパ部を設けたことを特徴とするパチンコ機。
【請求項２】  前記ガラス枠の回動を禁止し、前記枠本体に固定するための回動式のロック機構を前記前面枠に設けたことを特徴とする請求項１記載のパチンコ機。
【請求項３】  前記ガラス枠は、複数層からなるガラス板と、これらガラス板の外周を固定する保持枠とから構成したことを特徴とする請求項１又は２記載のパチンコ機。
【手続補正２】
【補正対象書類名】明細書
【補正対象項目名】０００３
【補正方法】変更
【補正の内容】
【０００３】
この前面枠は、演出用のランプ（例えばＬＥＤ素子等）やスピーカ等が取り付けられ、その中央に開口が形成された枠本体と、枠本体に形成されたガラス収納枠に差し込まれる複数枚のガラス板とから構成されている。ガラス板を複数枚用いることで、遊技を行う上での不正行為を防止している。
【特許文献１】特開２０００−２７１３１９号公報
【特許文献２】特開平９−９９１５０号公報
【手続補正３】
【補正対象書類名】明細書
【補正対象項目名】０００６
【補正方法】変更
【補正の内容】
【０００６】
【課題を解決するための手段】
上記目的を達成するために、本発明のパチンコ機は、遊技盤が中央に配設された本体枠と、この本体枠に開閉自在に取り付けられる前面枠とを有するパチンコ機において、前記前面枠を、中央に開口が形成された枠本体と、枠本体の裏側から着脱自在に、且つ前記枠本体に対して回動自在に取り付けられ、前記前面枠を閉じた際に前記開口を遮蔽するガラス枠とから構成し、前記枠本体とガラス枠とは、係止ピンと係合穴との係合により構成されるヒンジにより連結されており、前記ガラス枠に、前記ヒンジ、又はヒンジを保持するために前記枠本体に形成された保持板の少なくともいずれか一方に当接し、ガラス枠の所定範囲を越える回動を防止するストッパ部を設けたものである。
【手続補正４】
【補正対象書類名】明細書
【補正対象項目名】０００７
【補正方法】変更
【補正の内容】
【０００７】
なお、前記ガラス枠の回動を禁止し、前記枠本体に固定するための回動式のロック機構を前記前面枠に設けたことが好ましい。
【手続補正５】
【補正対象書類名】明細書
【補正対象項目名】０００８
【補正方法】変更
【補正の内容】
【０００８】
また、前記ガラス枠は、複数層からなるガラス板と、これらガラス板の外周を固定する固定枠とから構成したものである。これにより、ガラス板が固定枠に固定された状態で取り付けることが容易になる。なお、ガラス枠の所定範囲を越える回動を防止するとは、例えば、遊技盤や遊技盤に設けられた種々の役物装置、釘或いは、その他の構造物等に当接し得ない範囲を越えての回動を防止するなどのことをいう。
【手続補正書】
【提出日】平成18年1月27日(2006.1.27)
【手続補正１】
【補正対象書類名】明細書
【補正対象項目名】特許請求の範囲
【補正方法】変更
【補正の内容】
【特許請求の範囲】
【請求項１】  所定の遊技を実施可能な遊技機であって、
遊技状態の制御を行うメインＣＰＵと、
停電時においても記憶データが保持される記憶領域を有し、前記メインＣＰＵのワークメモリとして使用されるメインメモリと、
演出の制御を行うサブＣＰＵと、
停電時においても記憶データが保持される記憶領域を有し、前記サブＣＰＵのワークメモリとして使用されるサブメモリと、
所定の電源断条件が成立した場合に、電源断の発生を判別する電源断判別手段と、
を備え、
前記メインＣＰＵは、
該メインＣＰＵが制御する遊技状態に応じてその時点のメインＣＰＵの制御状態を特定可能な制御情報を、前記サブＣＰＵに対して送信する制御情報送信処理と、
前記電源断判別手段が電源断の発生を判別した場合に、遊技状態を復帰させるためのバックアップデータを前記メインメモリに保存するメインバックアップ処理と、
電源投入時に、前記メインメモリに保存されているバックアップデータに基づいて電源断前の遊技状態に復帰させる遊技状態復帰処理と、
を行い、
前記サブＣＰＵは、
前記メインＣＰＵから送信された制御情報を受信したときに、該受信した制御情報により特定される前記メインＣＰＵの制御状態に応じた演出を実行する演出実行処理と、
前記メインＣＰＵから送信された制御情報を受信する毎に、演出状態を復帰させるためのバックアップデータを前記サブメモリに保存するサブバックアップ処理と、
電源投入時に、前記サブメモリに保存されているバックアップデータに基づいて電源断前の演出状態に復帰させる演出状態復帰処理と、
を行う、
ことを特徴とする遊技機。
【手続補正２】
【補正対象書類名】明細書
【補正対象項目名】０００９
【補正方法】変更
【補正の内容】
【０００９】
【課題を解決するための手段】
上記課題を解決するために、本発明の遊技機は、
所定の遊技を実施可能な遊技機であって、
遊技状態の制御を行うメインＣＰＵと、
停電時においても記憶データが保持される記憶領域を有し、前記メインＣＰＵのワークメモリとして使用されるメインメモリと、
演出の制御を行うサブＣＰＵと、
停電時においても記憶データが保持される記憶領域を有し、前記サブＣＰＵのワークメモリとして使用されるサブメモリと、
所定の電源断条件が成立した場合に、電源断の発生を判別する電源断判別手段と、
を備え、
前記メインＣＰＵは、
該メインＣＰＵが制御する遊技状態に応じてその時点のメインＣＰＵの制御状態を特定可能な制御情報を、前記サブＣＰＵに対して送信する制御情報送信処理と、
前記電源断判別手段が電源断の発生を判別した場合に、遊技状態を復帰させるためのバックアップデータを前記メインメモリに保存するメインバックアップ処理と、
電源投入時に、前記メインメモリに保存されているバックアップデータに基づいて電源断前の遊技状態に復帰させる遊技状態復帰処理と、
を行い、
前記サブＣＰＵは、
前記メインＣＰＵから送信された制御情報を受信したときに、該受信した制御情報により特定される前記メインＣＰＵの制御状態に応じた演出を実行する演出実行処理と、
前記メインＣＰＵから送信された制御情報を受信する毎に、演出状態を復帰させるためのバックアップデータを前記サブメモリに保存するサブバックアップ処理と、
電源投入時に、前記サブメモリに保存されているバックアップデータに基づいて電源断前の演出状態に復帰させる演出状態復帰処理と、
を行う、
ことを特徴としている。
この特徴によれば、メインＣＰＵから送信される制御情報を受信する毎にサブバックアップ処理が行われるようになるため、従来のように電源断時にサブＣＰＵがバックアップをするものと比較してサブＣＰＵのバックアップを確実に行うことができる。
【手続補正３】
【補正対象書類名】明細書
【補正対象項目名】００１０
【補正方法】削除
【補正の内容】
【手続補正４】
【補正対象書類名】明細書
【補正対象項目名】００１１
【補正方法】削除
【補正の内容】
【手続補正５】
【補正対象書類名】明細書
【補正対象項目名】００１２
【補正方法】削除
【補正の内容】
【手続補正６】
【補正対象書類名】明細書
【補正対象項目名】００１３
【補正方法】削除
【補正の内容】
【手続補正７】
【補正対象書類名】明細書
【補正対象項目名】００１４
【補正方法】削除
【補正の内容】
【手続補正８】
【補正対象書類名】明細書
【補正対象項目名】００１５
【補正方法】削除
【補正の内容】
【手続補正９】
【補正対象書類名】明細書
【補正対象項目名】０２７１
【補正方法】変更
【補正の内容】
【０２７１】
請求項１項の発明によれば、メインＣＰＵから送信される制御情報を受信する毎にサブバックアップ処理が行われるようになるため、従来のように電源断時にサブＣＰＵがバックアップをするものと比較してサブＣＰＵのバックアップを確実に行うことができる。
【手続補正１０】
【補正対象書類名】明細書
【補正対象項目名】０２７２
【補正方法】削除
【補正の内容】
【手続補正１１】
【補正対象書類名】明細書
【補正対象項目名】０２７３
【補正方法】削除
【補正の内容】
【手続補正１２】
【補正対象書類名】明細書
【補正対象項目名】０２７４
【補正方法】削除
【補正の内容】
【手続補正１３】
【補正対象書類名】明細書
【補正対象項目名】０２７５
【補正方法】削除
【補正の内容】
【手続補正１４】
【補正対象書類名】明細書
【補正対象項目名】０２７６
【補正方法】削除
【補正の内容】
【手続補正１５】
【補正対象書類名】明細書
【補正対象項目名】０２７７
【補正方法】削除
【補正の内容】